(57)【特許請求の範囲】
【請求項１】
直列接続された複数のＬＥＤと、
前記複数のＬＥＤに順方向バイアスをかけるように直列接続された第１の直流電源および第２の直流電源と、
前記複数のＬＥＤと直列接続され、前記第１の直流電源および第２の直流電源による電流によってエネルギーを蓄積可能なコイルと、
前記第１の直流電源と第２の直流電源との間にカソードが接続された整流素子と、
前記整流素子のアノードに接続された切替スイッチング素子と、
前記切替スイッチング素子を制御する制御手段と、を備え、
前記制御手段の制御により前記切替スイッチング素子がオンになったときに、前記複数のＬＥＤ、前記第１の直流電源、前記第２の直流電源および前記コイルにより第１の閉回路を形成し、前記切替スイッチング素子がオフになったときに、前記複数のＬＥＤ、前記第２の直流電源、前記コイルおよび前記整流素子により第２の閉回路を形成するＬＥＤ駆動回路。
【請求項２】
前記第２の直流電源の電圧は、前記第２の閉回路の必要電圧より小さく、
前記第１の直流電源の電圧と前記第２の直流電源の電圧との和は、前記第１の閉回路の必要電圧より大きい請求項１に記載のＬＥＤ駆動回路。
【請求項３】
前記複数のＬＥＤにおける電圧降下を検知するための電圧検知手段と、
前記第１の閉回路および前記第２の閉回路を遮断する遮断スイッチング素子と、を更に備え、
前記制御手段は、電圧検知手段における電圧検知に基づいて前記遮断スイッチング素子をオン／オフ制御する請求項１又は２に記載のＬＥＤ駆動回路。
【請求項４】
前記複数のＬＥＤは、それぞれ紫外線ＬＥＤであり、
紫外線照射装置に設置される請求項１から３のいずれかに記載のＬＥＤ駆動回路。
【発明の詳細な説明】
【技術分野】
【０００１】
本発明は、ＬＥＤを駆動するＬＥＤ駆動回路に関する。
【背景技術】
【０００２】
従来、ＬＥＤを駆動するＬＥＤ駆動回路として図２に示すような回路が知られていた。このような回路を示す文献としては、例えば、特許文献１が知られている。
【０００３】
図２に示すＬＥＤ駆動回路１００は、複数のＬＥＤ１０１，１０１，・・・と、複数のＬＥＤ１０１，１０１，・・・に直列に接続された直流電源１０２とを備えている。また、ＬＥＤ駆動回路１００は、コイル１０３、整流素子１０４、切替スイッチング素子１０５、電流検知抵抗１０６および制御装置１０７を備えている。
【０００４】
複数のＬＥＤ１０１，１０１，・・・は、直列に接続されおり、順方向バイアスがかかることにより発光する。また、直流電源１０２は、一端（負極）がグランドＧに接続され、他端（正極）がＬＥＤ１０１のアノード側に接続されており、複数のＬＥＤ１０１，１０１，・・・に順方向バイアスをかけるように配置されている。
【０００５】
コイル１０３は、ＬＥＤ１０１のカソード側に接続され、ＬＥＤ１０１および直流電源１０２と直列に接続されている。このコイル１０３は、直流電源１０２の作用によって生じる電流によりエネルギーを蓄積でき、またそのエネルギーを放出できる。整流素子１０４は、順方向にのみ電流を流すダイオードからなり、このダイオードのカソード側が直流電源１０２とＬＥＤ１０１との間に接続され、アノード側がコイル１０３に接続されている。
【０００６】
切替スイッチング素子１０５は、一端がコイル１０３と整流素子１０４との間に接続され、他端がグランドＧに接続されている。この切替スイッチング素子１０５は、オン／オフ切り替え可能に構成されており、切替スイッチング素子１０５がオンのときに、直流電源１０２、複数のＬＥＤ１０１，１０１，・・・、および、コイル１０３により第１の閉回路１１１が形成され、切替スイッチング素子１０５がオフのときに、複数のＬＥＤ１０１，１０１，・・・、コイル１０３、および、整流素子１０４により第２の閉回路１１２が形成される。電流検知抵抗１０６は、ＬＥＤ駆動回路１００に流れる電流値を検知するために配置されている。制御装置１０７は、電流検知抵抗１０６に流れる電流を検知し、この検知に基づいて切替スイッチング素子１０５をオン／オフ制御可能に構成されている。
【０００７】
このように構成されたＬＥＤ駆動回路１００では、まず、制御装置１０７を作動させると、この制御装置１０７が切替スイッチング素子１０５をオンにし、これにより、直流電源１０２、複数のＬＥＤ１０１，１０１，・・・、および、コイル１０３により第１の閉回路１１１が形成される。第１の閉回路１１１が形成されると、複数のＬＥＤ１０１，１０１，・・・に順方向バイアスがかかり、複数のＬＥＤ１０１，１０１，・・・が発光する。また、ＬＥＤ駆動回路１００に電流が流れることによりコイル１０３に電流が流れ、この電流によりコイル１０３にエネルギーが蓄積される。
【０００８】
続いて、第１の閉回路１１１の電流値が所定の上限目標値に達すると、制御装置１０７が電流検知抵抗１０６の電流検知に基づいて切替スイッチング素子１０５をオフにする。これにより、第１の閉回路１１１が遮断され、複数のＬＥＤ１０１，１０１，・・・、コイル１０３、および、整流素子１０４により第２の閉回路１１２が形成される。第２の閉回路１１２が形成されると、コイル１０３に蓄積されたエネルギーにより複数のＬＥＤ１０１，１０１，・・・に順方向バイアスがかかり、複数のＬＥＤ１０１，１０１，・・・が発光する。すなわち、第２の閉回路１１２が形成されて第１の閉回路１１１が遮断されると、直流電源１０２による電力供給はなくなるが、コイル１０３が蓄積したエネルギーを放出することによりＬＥＤ駆動回路１００に一定の電流が流れ続ける。これにより、複数のＬＥＤ１０１，１０１，・・・が発光し続ける。このとき、コイル１０３が第２の閉回路１１２に一定の電流を流し続けようとするので、このコイル１０３には定電流を流し続けるための逆起電力が発生する。
【０００９】
その後、第２の閉回路１１２の電流値が所定の下限目標値に達すると、再び制御装置１０７が電流検知抵抗１０６の電流検知に基づいて切替スイッチング素子１０５をオンにすることにより、第１の閉回路１１１が形成される。これにより、直流電源１０２による順方向バイアスが複数のＬＥＤ１０１，１０１，・・・にかかり、ＬＥＤ１０１，１０１，・・・が発光し続ける。
【先行技術文献】
【特許文献】
【００１０】
【特許文献１】特開２００６−３２４５３４号公報
【発明の概要】
【発明が解決しようとする課題】
【００１１】
上記のようなＬＥＤ駆動回路１００において、ＬＥＤ１０１による光量を大きくしたい場合は、ＬＥＤ１０１の数を増やしたり、ＬＥＤ１０１自体の輝度を高めたりすることがある。また、このような場合は、多数のＬＥＤ１０１や高輝度のＬＥＤ１０１を確実に発光させるために、ＬＥＤ駆動回路１００の直流電源１０２の電圧（起電力）を大きくしなければならない。
【００１２】
しかしながら、光量を大きくするために直流電源１０２の電圧（起電力）を大きくすると、コイル１０３に大きな負担がかかってしまうという問題があった。すなわち、上記のＬＥＤ駆動回路１００では、第１の閉回路１１１から第２の閉回路１１２に切り替わるとき、この第２の閉回路１１２に一定の電流を流し続けるようにコイル１０３に逆起電力が発生するが、もし直流電源１０２の電圧（起電力）を大きくすると、回路の切り替え時にコイル１０３に大きな逆起電力が発生してしまう問題があった。つまり、コイル１０３は、第１の閉回路１１１の遮断によって直流電源１０２の電力供給が無くなる分、その不足分を補填するように電流を流そうとするが、直流電源１０２の電圧を大きくすると、その分、電力供給の不足分も大きくなるので、コイル１０３にかかる負担が大きくなっていた。そのため、光量を大きくするために直流電源１０２の電圧を大きくする場合は、それに併せて、負担に耐えうるようにコイル１０３の性能を高くする必要があり、その結果、コイル１０３が大型になってしまうという問題があった。
【００１３】
本発明は、上記問題を解決するためになされたものであって、コンパクトな構成で光量を大きくすることができるＬＥＤ駆動回路の提供を目的とする。
【課題を解決するための手段】
【００１４】
本発明は、上記課題を解決するためのＬＥＤ駆動回路であって、直列接続された複数のＬＥＤと、前記複数のＬＥＤに順方向バイアスをかけるように直列接続された第１の直流電源および第２の直流電源と、前記複数のＬＥＤと直列接続され、前記第１の直流電源および第２の直流電源による電流によってエネルギーを蓄積可能なコイルと、前記第１の直流電源と第２の直流電源との間にカソードが接続された整流素子と、前記整流素子のアノードに接続された切替スイッチング素子と、前記切替スイッチング素子を制御する制御手段と、を備え、前記制御手段の制御により前記切替スイッチング素子がオンになったときに、前記複数のＬＥＤ、前記第１の直流電源、前記第２の直流電源および前記コイルにより第１の閉回路を形成し、前記切替スイッチング素子がオフになったときに、前記複数のＬＥＤ、前記第２の直流電源、前記コイルおよび前記整流素子により第２の閉回路を形成するＬＥＤ駆動回路である。
【００１５】
また、上記ＬＥＤ駆動回路において、前記第２の直流電源の電圧は、前記第２の閉回路の必要電圧より小さく、前記第１の直流電源の電圧と前記第２の直流電源の電圧との和は、前記第１の閉回路の必要電圧より大きいことが好ましい。
【００１６】
このような構成によれば、第１の閉回路が形成されると、第１の直流電源及び第２の直流電源の電圧により複数のＬＥＤに順方向バイアスがかかり、複数のＬＥＤが発光する。また、第１の直流電源及び第２の直流電源の作用でＬＥＤ駆動回路に電流が流れることによりコイルに電流が流れ、この電流によりコイルにエネルギーが蓄積される。また、第２の閉回路が形成されると、第２の直流電源の電圧とコイルに蓄積されたエネルギーとにより複数のＬＥＤに順方向バイアスがかかり、複数のＬＥＤが発光する。このとき、第２の閉回路が形成されて第１の閉回路が遮断されると、第１の直流電源による電力供給はなくなるが、コイルが蓄積したエネルギーを放出することによりＬＥＤ駆動回路に一定の電流が流れ続ける。その結果、コイルが第２の閉回路に一定の電流を流し続けようとするので、このコイルには定電流を流し続けるための逆起電力が発生する。しかしながら、コイルは、自身の逆起電力だけでなく、第２の直流電源の起電力と協働して第２の閉回路に電流を流すので、コイル単独の逆起電力だけで電流を流す必要がない。したがって、コイルに発生する逆起電力を小さくすることができる。したがって、光量を大きくするために個々のＬＥＤ２の輝度を高くしたり、ＬＥＤ２の数を増やしたりしたとしても、コイル５に生じる逆起電力を低く抑えることができる。その結果、コイル５を小型にすることができると共に、ＬＥＤの光量を上げることができる。よって、本発明のＬＥＤ駆動回路１によれば、コンパクトな構成で光量を大きくすることができる。
【００１７】
また、前記複数のＬＥＤにおける電圧降下を検知するための電圧検知手段と、前記第１の閉回路および前記第２の閉回路を遮断する遮断スイッチング素子と、を更に備え、前記制御手段は、電圧検知手段における電圧検知に基づいて前記遮断スイッチング素子をオン／オフ制御することが好ましい。
【００１８】
また、前記複数のＬＥＤがそれぞれ紫外線ＬＥＤであり、ＬＥＤ駆動回路が紫外線照射装置に設置されることが好ましい。
【発明の効果】
【００１９】
本発明のＬＥＤ駆動回路によれば、コンパクトな構成で光量を大きくすることができる。
【図面の簡単な説明】
【００２０】
【図１】本発明の一実施形態に係るＬＥＤ駆動回路の回路図である。
【図２】従来のＬＥＤ駆動回路の回路図である。
【発明を実施するための形態】
【００２１】
以下、本発明の実施形態について添付図面を参照して説明する。図１は、本発明の一実施形態に係るＬＥＤ駆動回路の回路図である。図１に示すように、ＬＥＤ駆動回路１は、直列に接続された複数のＬＥＤ２，２，・・・と、複数のＬＥＤ２，２，・・・に直列に接続された第１の直流電源３および第２の直流電源４とを備えている。また、ＬＥＤ駆動回路１は、コイル５、整流素子６、切替スイッチング素子７および電流検知抵抗８を備えている。さらに、ＬＥＤ駆動回路１は、電圧検知抵抗９、遮断スイッチング素子１０および制御装置１１を備えている。
【００２２】
ＬＥＤ２（発光ダイオード：Light-Emitting Diode）は、本実施形態では紫外線発光ダイオード（UV-LED）を用いており、順方向バイアスがかかることにより発光する。このＬＥＤ２としては、紫外線発光ダイオードの他に、例えば白色発光ダイオード、表面実装型タイプ（チップタイプ）、砲弾型タイプなど、種々のＬＥＤを用いることができる。また、複数のＬＥＤ２，２，・・・は、全て同一方向を向くように配置されており、互いに直列に接続されている。
【００２３】
第１の直流電源３および第２の直流電源４は、直列に接続されており、複数のＬＥＤ２，２，・・・に順方向バイアスをかけるように配置されている。第１の直流電源３は、一端（負極）がグランドＧに接続され、他端（正極）が第２の直流電源４の一端（負極）に接続されている。また、第２の直流電源４は、一端（負極）が第１の直流電源３の正極に接続され、他端がＬＥＤ２のアノード側に接続されている。第１の直流電源３および第２の直流電源４は、それぞれ、単一の電源で構成することも、また、複数の電源を接続することで構成することもできる。また、第１の直流電源３および第２の直流電源４の電圧は適宜調整可能である。
【００２４】
コイル５は、複数のＬＥＤ２，２，・・・、第１の直流電源３および第２の直流電源４と直列に接続されている。また、コイル５は、ＬＥＤ２のカソード側に接続されている。このコイル５は、電流が流れることによりエネルギーを蓄え、また、そのエネルギーを放出できる公知のインダクタである。本実施形態では、コイル５は、第１の直流電源３および第２の直流電源４の作用によって生じる電流によりエネルギーを蓄積でき、またそのエネルギーを放出できる。
【００２５】
整流素子６は、一方向（順方向）にのみ電流を流すダイオードからなり、このダイオードのカソード側が第１の直流電源３と第２の直流電源４との間に接続されている。また、整流素子６のアノード側はコイル５に接続されている。整流素子６としては、例えば、ショットキーバリアダイオードを用いることができる。
【００２６】
切替スイッチング素子７は、一端がコイル５と整流素子６との間に接続され、他端がグランドＧに接続されている。この切替スイッチング素子７は、オン／オフ切り替え可能に構成されており、例えば、公知の電界効果トランジスタ（FET：Field Effect Transistor）を用いることができる。そして、切替スイッチング素子７がオンのときに、第１の直流電源３、第２の直流電源４、複数のＬＥＤ２，２，・・・、および、コイル５により閉回路（第１の閉回路２１）が形成され、切替スイッチング素子７がオフのときに、第２の直流電源４、複数のＬＥＤ２，２，・・・、コイル５、および、整流素子６により閉回路（第２の閉回路２２）が形成される。
【００２７】
電流検知抵抗８は、ＬＥＤ駆動回路１に流れる電流値を検知するためにこのＬＥＤ駆動回路１内に配置された抵抗である。この電流検知抵抗８は、切替スイッチング素子７がオンのときには、第１の閉回路２１に流れる電流を検知し、一方、切替スイッチング素子７がオフのときには、第２の閉回路２２に流れる電流を検知するために設置されている。
【００２８】
電圧検知抵抗９は、一端がグランドＧに接続され、他端がＬＥＤ２のカソード側に接続されており、ＬＥＤ２のカソード側とグランドＧとの間の電圧を検知するために配置されている。
【００２９】
遮断スイッチング素子１０は、ＬＥＤ２とコイル５との間に配置されており、オフになることによりＬＥＤ駆動回路１（第１の閉回路２１および第２の閉回路２２）を遮断できるように構成されている。したがって、この遮断スイッチング素子１０がオフになると、ＬＥＤ２やコイル５に電流が流れなくなる。
【００３０】
制御装置１１は、電流検知抵抗８に流れる電流を検知し、この検知に基づいて切替スイッチング素子７をオン／オフ制御可能に構成されている。具体的には、制御装置１１は、電流検知抵抗８に流れる電流値が所定の上限目標値に達したときに切替スイッチング素子７をオフにし、また、電流検知抵抗８に流れる電流値が所定の下限目標値に達したときに切替スイッチング素子７をオンにするように構成されている。これにより、制御装置１１は、ＬＥＤ駆動回路１（第１の閉回路２１および第２の閉回路２２）に流れる電流を定常に維持するように構成されている。
【００３１】
また、制御装置１１は、ＬＥＤ２のカソード側とグランドＧとの間の電位差を検知し、この検知に基づいて遮断スイッチング素子１０をオフにできるように構成されている。具体的には、制御装置１１は、電圧検知抵抗９にかかる電圧値が所定の上限値に達したときに遮断スイッチング素子１０をオフにするように構成されている。これにより、ＬＥＤ２のカソード側の電位が所定の上限値に達したときにＬＥＤ駆動回路１（第１の閉回路２１および第２の閉回路２２）を遮断できる。これにより、複数のＬＥＤ２、２・・・における電圧降下が所定の値より小さいときに、ＬＥＤ駆動回路１を遮断することができる。
【００３２】
次に、上記のような構成を備えるＬＥＤ駆動回路１によりＬＥＤ２を駆動させる方法について説明する。
【００３３】
まず、第１の直流電源３および第２の直流電源４の電圧（起電力）を次のように設定する。（１）第１の直流電源３および第２の直流電源４の電圧（起電力）の総和（合計）を、第１の閉回路２１に電流が流れるような値に設定する。すなわち、第１の直流電源３および第２の直流電源４の電圧（起電力）の総和が、第１の閉回路２１の必要電圧より大きくなるように設定する。また、（２）第２の直流電源４の電圧（起電力）を、それ単独の電圧で第２の閉回路２２に、ＬＥＤ２が発光するような目標である電流が流れることがないような値に設定する。すなわち、第２の直流電源４の単独の電圧（起電力）が第２の閉回路２２の必要電圧より小さくなるように設定する。なお、必要電圧とは、回路に電流を流して複数のＬＥＤ２，２，・・・を全て発光させるために必要な電圧のことである。（必要電圧＝ＬＥＤ２の１チップあたりの順方向電圧（Ｖｆ）×ＬＥＤ２の接続チップ数）
次に、この状態で制御装置１１を作動させると、この制御装置１１が切替スイッチング素子７をオンにし、これにより、第１の直流電源３、第２の直流電源４、複数のＬＥＤ２，２，・・・、および、コイル５により第１の閉回路２１が形成される。第１の閉回路２１が形成されると、第１の直流電源３及び第２の直流電源４の電圧により複数のＬＥＤ２，２，・・・に順方向バイアスがかかり、複数のＬＥＤ２，２，・・・が発光する。また、第１の直流電源３及び第２の直流電源４の作用でＬＥＤ駆動回路１に電流が流れることによりコイル５に電流が流れ、この電流によりコイル５にエネルギーが蓄積される。
【００３４】
続いて、ＬＥＤ駆動回路１（第１の閉回路２１）の電流値が所定の上限目標値に達すると、制御装置１１が電流検知に基づいて切替スイッチング素子７をオフにする。これにより、第１の閉回路２１が遮断され、第２の直流電源４、複数のＬＥＤ２，２，・・・、コイル５、および、整流素子６により第２の閉回路２２が形成される。第２の閉回路２２が形成されると、第２の直流電源４の電圧とコイル５に蓄積されたエネルギーとにより複数のＬＥＤ２，２，・・・に順方向バイアスがかかり、複数のＬＥＤ２，２，・・・が発光する。すなわち、第２の閉回路２２が形成されて第１の閉回路２１が遮断されと第１の直流電源３による電力供給はなくなるが、コイル５が蓄積したエネルギーを放出することにより、ＬＥＤ駆動回路１に電流が流れ続ける。つまり、コイル５は、第１の直流電源３の遮断によりＬＥＤ駆動回路１に流れる電流が減少することを妨げ、ＬＥＤ駆動回路１に流れる電流を定常に維持するように作用するので、ＬＥＤ駆動回路１に一定の電流が流れ続ける。これにより、複数のＬＥＤ２，２，・・・が発光し続ける。
【００３５】
このとき、コイル５がＬＥＤ駆動回路１（第２の閉回路２２）に一定の電流を流し続けようと作動するので、このコイル５には定電流を流し続けるための逆起電力が発生する。しかしながら、第２の閉回路２２には第２の直流電源４が配置されており、コイル５はこの第２の直流電源４と協働して第２の閉回路２２に電流を流すので、コイル５にかかる負担は大きくならない。すなわち、コイル５は、第１の直流電源３が遮断されたことによる起電力の不足分を補填して回路に一定の電流を流そうとするが、自身の逆起電力だけでなく、第２の直流電源４の起電力と協働して第２の閉回路２２に電流を流すので、コイル５単独の逆起電力だけで電流を流す必要がない。したがって、コイル５に発生する逆起電力を小さくすることができる。
【００３６】
その後、ＬＥＤ駆動回路１（第２の閉回路２２）の電流値が所定の下限目標値に達すると、再び制御装置１１が電流検知に基づいて切替スイッチング素子７をオンにすることにより、再び第１の閉回路２１が形成される。これにより、第１の直流電源３及び第２の直流電源４による順方向バイアスが複数のＬＥＤ２，２，・・・にかかり、ＬＥＤ２，２，・・・が発光し続ける。
【００３７】
また、制御装置１１は、電圧検知抵抗９にかかる電圧を検知し、検知した電圧が所定の上限値より大きくなったときには、遮断スイッチング素子１０をオフにする。これにより、複数のＬＥＤ２，２、・・・における電圧降下が間接的に検知され、この検知結果に基づいてＬＥＤ駆動回路１が遮断される。
【００３８】
このようなＬＥＤ駆動回路１によれば、上述したように、第２の閉回路２２を形成したときにコイル５に生じる逆起電力を小さくすることができる。したがって、光量を大きくするために個々のＬＥＤ２の輝度を高くしたり、ＬＥＤ２の数を増やしたりしたとしても、コイル５に生じる逆起電力を低く抑えることができる。その結果、コイル５の耐圧性能を高くする必要がなくなる。これにより、コイル５を小型にすることができると共に、ＬＥＤの光量を上げることができる。よって、本発明のＬＥＤ駆動回路１によれば、コンパクトな構成で光量を大きくすることができる。
【００３９】
このように、従来までは、光量を大きくするためには単に電源の圧力を増加させるだけであったが、本発明では、あえて電源を分けて上記のＬＥＤ駆動回路１を構成したので、第１の直流電源３および第２の直流電源４の電圧（起電力）を調整することにより、コイル５に生じる逆起電力を抑えたまま、ＬＥＤ２の光量を大きくすることができる。
【００４０】
また、上記ＬＥＤ駆動回路１によれば、電圧検知抵抗９および遮断スイッチング素子１０を設置しているので、複数のＬＤＥ２，２における電圧降下を検知し、検知した値が所定の値より小さいときに、この回路を遮断することができる。これにより、コイル５に大きな逆起電力が生じるのを予め防ぐことができる。
【００４１】
また、整流素子６としてショットキーバリアダイオードを用いると、整流素子６の順方向電圧を低くすることができ、切替スイッチング素子７におけるスイッチング動作の高速化を図ることができる。
【００４２】
以上、本発明の一実施形態について説明したが、本発明の具体的な態様は、上記実施形態に限定されるものではない。
【００４３】
例えば、上記実施形態では、１つの制御装置１１により切替スイッチング素子７と遮断スイッチング素子１０を制御していたが、この制御装置１１を分割して、分割した各制御装置により切替スイッチング素子７と遮断スイッチング素子１０とをそれぞれ制御してもよい。
【００４４】
また、上記実施形態では、制御装置１１は、電流検知抵抗８に流れる電流を検知することにより切替スイッチング素子７のオン／オフを制御していたが、この構成に限定されず、予めオン／オフのタイミングを設定しておき、そのタイミングに基づいて切替スイッチング素子７を制御することもできる。
【００４５】
また、上述したＬＥＤ駆動回路１を適用する対象は特に限定されるものではなく、例えば、印刷用の紫外線照射装置や、プリント基板のレジスト膜を硬化させる照射装置、塗料を硬化させるための照射装置などに用いることができる。また、このＬＥＤ駆動回路１は、大きな光量が必要であるにもかかわらず、ＬＥＤ駆動回路１を設置するスペースが限られているものに特に有効である。例えば、印刷用の紫外線照射装置などに設置されることが特に有効である。
【００４６】
また、遮断スイッチング素子１０をオフにする際の電圧の上限値は、第１の直流電源３および第２の直流電源４の電圧並びに複数のＬＤＥ２，２の必要電圧から算出することもできる。また、制御装置１１が予め設定されたプログラムに基づいて遮断スイッチング素子１０をオフにしてもよい。
【００４７】
また、上記実施形態では、コイル５は、複数のＬＥＤ２，２，・・・のカソード側に接続されていたが、この構成に限定されず、コイル５を複数のＬＥＤ２，２，・・・のアノード側に接続してもよい。このような構成でも、コイル５によりエネルギーを蓄積及び放出することができる。
【００４８】
また、上記実施形態では、ＬＥＤ２の電圧降下の異常を検知し、これに基づいて制御装置１１が遮断スイッチング素子１０をオフにしていたが、これとは反対に、ＬＥＤ２の電圧降下の正常を検知し、これに基づいて制御装置１１が遮断スイッチング素子１０をオンにすることもできる。また、ＬＥＤ２の電圧降下の正常／異常を検知する構成に限定されず、ＬＥＤ２の周囲に温度センサ（図示せず）を設置し、この温度センサによる温度検知に基づいて制御装置１１が遮断スイッチング素子１０をオン／オフ制御する構成であってもよい。また、ＬＥＤ２の正常／異常を検知する構成に限定されず、制御装置１１における異常を検知し、これに基づいて遮断スイッチング素子１０をオフにすることもできる。この場合、遮断スイッチング素子１０をオン／オフ制御するために、別途、ＯＲ回路（図示せず）を構成してもよい。これらの構成のいずれにおいても、ＬＥＤ駆動回路１の異常を検知してコイル５を保護することができる。
【００４９】
また、上記実施形態では、電圧検知抵抗９にかかる電圧を検知して遮断スイッチング素子１０をオフにしていたが、電圧検知をする手段はこの構成に限定されるものではない。例えば、ＬＥＤ２のカソード側に別途、電圧検知用の回路（図示せず）を設置し、この回路により電圧を検知してもよい。このような構成によっても、複数のＬＥＤ２，２，・・・における電圧降下を検知することができ、それに基づいて遮断スイッチング素子１０をオン／オフ制御することができる。したがって、ＬＥＤ２の異常作動を防止することができる。なお、この場合、電圧検知抵抗９はＬＥＤ２に微小な電流を流すための部材として機能する。
【００５０】
また、ＬＥＤ駆動回路１における各構成要素の耐電圧は特に限定されるものではないが、例えば、整流素子６の耐電圧が１００Ｖであり、切替スイッチング素子７の耐電圧が１００Ｖであり、遮断スイッチング素子１０の耐電圧が２００Ｖであってもよい。
【符号の説明】
【００５１】
１    ＬＥＤ駆動回路
２    ＬＥＤ
３    第１の直流電源
４    第２の直流電源
５    コイル
６    整流素子
７    切替スイッチング素子
８    電流検知抵抗
９    電圧検知抵抗
１０    遮断スイッチング素子
１１    制御装置
２１    第１の閉回路
２２    第２の閉回路
【図１】
0005533642.tif 000002
【図２】
0005533642.tif 000003